【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
容器に取り付けられ、前記容器に収容される製品をポンピングするために用いられ、
少なくともプッシュヘッド及び／又はピストンロッドを備える可動部分と、
少なくともヘリカルキャップを備える固定部分と、
を含むスプリングレスポンプであって、
伝動部材と支持部材とを備える復帰機構を更に含み、
前記伝動部材は前記可動部分に接続され、
前記支持部材は前記固定部分に形成されるか又は固定接続され、且つ前記伝動部材は前記支持部材に支持されることを特徴とするスプリングレスポンプ。
【請求項２】
前記伝動部材は剛性を有するものであることを特徴とする請求項１に記載のスプリングレスポンプ。
【請求項３】
前記伝動部材は前記支持部材に回転可能又は枢動可能に支持されることを特徴とする請求項１に記載のスプリングレスポンプ。
【請求項４】
前記スプリングレスポンプはプッシュ式ポンプであり、
前記プッシュ式ポンプは前記プッシュヘッドと前記ピストンロッドを含み、
前記ピストンロッドは前記プッシュヘッドに接続され、
前記復帰機構の前記伝動部材は前記プッシュヘッド又は前記ピストンロッドに接続されることを特徴とする請求項１に記載のスプリングレスポンプ。
【請求項５】
前記伝動部材は、プレス板を含み、前記プレス板はその一端に位置し、前記プッシュヘッドに接合するプッシュヘッド嵌合部と、その他端に位置する押圧部と、を備え、
前記支持部材は支点部を含み、前記プレス板は前記支点部に回転可能に支持される枢動部を更に備えることを特徴とする請求項４に記載のスプリングレスポンプ。
【請求項６】
前記プッシュヘッド嵌合部はフォーク状を呈し、前記フォーク状の二つのアームは両側から前記プッシュヘッドのネック部をクランプし、
及び／又は
前記固定部分はシリンダーヘッドを更に含み、前記支持部材は前記ヘリカルキャップと前記シリンダーヘッドの間に係止されるリング状の固定部を更に含むことを特徴とする請求項５に記載のスプリングレスポンプ。
【請求項７】
前記プッシュヘッド嵌合部は前記プッシュヘッドの頂部に接続されることを特徴とする請求項５に記載のスプリングレスポンプ。
【請求項８】
前記プッシュ式ポンプはダブルチャンバーポンプであり、二つの前記プッシュヘッド、すなわち、第１プッシュヘッドと第２プッシュヘッドを含み、前記ヘリカルキャップの頂部には、前記第１プッシュヘッドと前記第２プッシュヘッドがそれぞれ取り付けられる二つの取り付け孔が形成されることを特徴とする請求項４に記載のスプリングレスポンプ。
【請求項９】
前記伝動部材は、
枢動部と、前記枢動部の両側に位置する第１プッシュヘッド嵌合部と第２プッシュヘッド嵌合部と、を備えるプレス板を含み、
前記第１プッシュヘッド嵌合部は前記第１プッシュヘッド又は前記第１プッシュヘッドに接続される第１ピストンロッドに接続され、
前記第２プッシュヘッド嵌合部は前記第２プッシュヘッド又は前記第２プッシュヘッドに接続される第２ピストンロッドに接続され、
前記支持部材は、
前記ヘリカルキャップの前記頂部に形成される支点部を含み、前記支点部は二つの前記取り付け孔の間に位置し、
前記プレス板の前記枢動部は前記支点部に回転可能に嵌合することを特徴とする請求項８に記載のスプリングレスポンプ。
【請求項１０】
前記第１プッシュヘッドと前記第２プッシュヘッドの頂部にはそれぞれ支持ロッドが形成され、
前記第１プッシュヘッド嵌合部には、前記第１プッシュヘッドにおける前記支持ロッドに接続される第１接続点が形成され、
前記第２プッシュヘッド嵌合部には、前記第２プッシュヘッドにおける前記支持ロッドに接続される第２接続点が形成されることを特徴とする請求項９に記載のスプリングレスポンプ。
【請求項１１】
前記プッシュ式ポンプを操作していない時、
前記第１プッシュヘッドのネック部及び／又は前記第２プッシュヘッドのネック部に係止されることによって、前記第１プッシュヘッド及び／又は前記第２プッシュヘッドの下方への移動を阻止する留め具を更に含むことを特徴とする請求項９に記載のスプリングレスポンプ。
【請求項１２】
前記プレス板は着脱可能であり、前記留め具は前記プレス板に一体化されることを特徴とする請求項１１に記載のスプリングレスポンプ。
【請求項１３】
前記伝動部材はリンクを含み、
前記リンクの第１端には少なくとも一つの第１開口が設置され、
前記第１プッシュヘッドには第１ピストンロッドが接続され、前記第１ピストンロッドの外周壁には少なくとも一つの第１ボスが形成され、前記第１開口は前記第１ボスに嵌合され、
前記リンクの第２端には少なくとも一つの第２開口が設置され、
前記第２プッシュヘッドには第２ピストンロッドが接続され、前記第２ピストンロッドの外周壁には少なくとも一つの第２ボスが形成され、前記第２開口は前記第２ボスに嵌合され、
前記リンクの前記第１端と前記第２端の間には枢動部が形成され、
前記支持部材は前記ヘリカルキャップの前記頂部に形成されて二つの前記取り付け孔の間に位置する支点部を含み、前記リンクの前記枢動部は前記支点部に回転可能に嵌合することを特徴とする請求項８に記載のスプリングレスポンプ。
【請求項１４】
前記伝動部材は歯車列を含み、前記支持部材は前記ヘリカルキャップの前記頂部に形成される歯車取り付け部を含み、
前記歯車列は、
歯車取り付け部に回転可能に取り付けられる歯車と、
前記第１プッシュヘッドに接続される第１ピストンロッドに形成され、前記歯車の一方側に噛み合う第１ラックと、
前記第２プッシュヘッドに接続される第２ピストンロッドに形成され、前記歯車の他方側に噛み合う第２ラックと、
を含むことを特徴とする請求項８に記載のスプリングレスポンプ。
【請求項１５】
前記支点部は前記ヘリカルキャップに形成されるか、又は
前記支点部は前記ヘリカルキャップと前記容器の間にクランプされて固定されるか、又は
前記支点部は前記容器に形成されることを特徴とする請求項５又は９に記載のスプリングレスポンプ。
【請求項１６】
前記支点部のロッド部分は折り畳み可能であり、
第１セグメントと第２セグメントを含み、前記第１セグメントは第１位置と第２位置の間で切り替えることができ、
前記第１位置において、前記第１セグメントは前記第２セグメントに折り畳まれ、
前記第２位置において、前記第１セグメントは前記第２セグメントに整列して一直線状となることを特徴とする請求項５又は９に記載のスプリングレスポンプ。
【請求項１７】
前記支点部は、スリーブと、ラチェットロッドと、を含み、
前記ラチェットロッドは、一端が前記プレス板に接続され、他端がラチェットを備え、且つ前記スリーブに摺動可能に収容されることを特徴とする請求項５又は９に記載のスプリングレスポンプ。
【請求項１８】
前記伝動部材は回転復帰部材を含み、
前記回転復帰部材は操作部と前記回転復帰部材の本体から懸架される少なくとも一つの当接部を含み、前記当接部の自由端には傾斜面が形成され、
前記支持部材は前記ヘリカルキャップのネック部に形成され、前記当接部の前記傾斜面に係合する係合用傾斜面を含むことを特徴とする請求項４に記載のスプリングレスポンプ。
【請求項１９】
トリガー式ポンプであり、
前記固定部分はヘリカルキャップと、ヘリカルキャップに形成されるか又は取り付けられるシリンダーを含み、
前記可動部分は前記シリンダーに往復動可能に収容されるピストンロッドと、第１端が前記ピストンロッドに接続され、第２端が自由端であるトリガーとを含み、
前記支持部材は前記固定部分に形成される支点部であり、
前記トリガーは前記第１端と前記第２端の間における中間点において前記支点部に回転可能に接続されることによって、前記トリガーの前記中間点と前記第２端の間の部分で前記復帰機構の前記伝動部分が構成されることを特徴とする請求項１に記載のスプリングレスポンプ。
【請求項２０】
前記支点部には更にストッパーが形成されることを特徴とする請求項１９に記載のスプリングレスポンプ。
【請求項２１】
容器であって、請求項１〜２０のいずれか一項に記載のスプリングレスポンプを含むことを特徴とする容器。
【請求項２２】
容器であって、ダブルチャンバー容器であり且つ請求項８〜１４のいずれか一項に記載のスプリングレスポンプを備え、
前記容器は前記スプリングレスポンプを被覆するためのポンプハウジングを更に含み、前記ポンプハウジングの頂部は階段状を呈し、
高さが前記第１プッシュヘッドと前記第２プッシュヘッドのうちの一方のストロークの上死点に対応する比較的高い上面と、
高さが前記第１プッシュヘッドと前記第２プッシュヘッドのうちの他方のストロークの下死点に対応する比較的低い上面を含むことを特徴とする容器。
【手続補正２】
【補正対象書類名】図面
【補正対象項目名】図３１
【補正方法】変更
【補正の内容】
【図３１】
2021503425.tif 000001
【手続補正３】
【補正対象書類名】図面
【補正対象項目名】図３９ｃ
【補正方法】変更
【補正の内容】
【図３９ｃ】
2021503425.tif 000002